(57)【要約】  配管に生じた漏水部分を低コストで簡便に補修することができるように送油管や送水管などの各種連結管体の継ぎ手部分に締結する接管用ホースバンドを用いた配管の部分補修装置を開示する。このため、ホースバンドと、前記ホースバンドの内側面に備えられるパッキン材を含む漏水防止手段と、からなることを特徴とする配管の部分補修装置を提供する。本発明は比較的高価な管継ぎ手を用いることの代わりに、安価なホースバンドを用いて、低コストで老朽化した配管の漏水孔を補修することができ、それによって、配管を用いて水を供給するマンションや住宅の管理コストを削減することができる。【選択図】図５
2016532824.tif 000002
【特許請求の範囲】
【請求項１】
ホースバンドと；
前記ホースバンドの内側面に備えられるパッキン材を含む漏水防止手段と、からなることを特徴とする配管の部分補修装置。
【請求項２】
前記ホースバンドは、
その長手方向に沿って１列に複数の貫通孔が形成され、配管の漏水部分に結合されるように両端が互いに密着して環を形成する帯状部と、外部から与えられる駆動力に基づいて、帯形状部によって形成された環の内径を調節する内径調節部と、からなることを特徴とする請求項１に記載の配管の部分補修装置。
【請求項３】
ホースバンドと；
前記ホースバンドに外嵌されるように両端にそれぞれ切開孔が形成される密着板、及び前記ホースバンドの内側面に配置されるように前記密着板の内側面に備えられるパッキン材を含む漏水防止手段と；からなることを特徴とする配管の部分補修装置。
【請求項４】
前記密着板は、２対乃至３対の切開孔が形成され、２個乃至３個の前記ホースバンドを備えることを特徴とする請求項３に記載の配管の部分補修装置。
【請求項５】
前記密着板は、
各切開孔の外側に位置した外側板に密着板の長手方向に沿って嵌合通路が形成されることを特徴とする請求項３に記載の配管の部分補修装置。
【請求項６】
前記パッキン材は、
前記密着板の両端にそれぞれ形成された切開孔の間の間隔と同一の長さを有するように形成されることを特徴とする請求項３に記載の配管の部分補修装置。
【請求項７】
前記パッキン材は、
生ゴム、ブチルゴム、ネオプレンゴム、シリコン、テフロンからなる群から選択されたいずれか一つ以上で形成されることを特徴とする請求項３に記載の配管の部分補修装置。
【請求項８】
前記ホースバンドは、
その長手方向に沿って１列に複数の貫通孔が形成され、配管の漏水部分に結合されるように両端が互いに密着して環を形成する帯状部と、外部から与えられる駆動力に基づいて、帯形状部によって形成された環の内径を調節する内径調節部と、からなることを特徴とする請求項３に記載の配管の部分補修装置。
【請求項９】
前記ホースバンドは、
対向している一対の閉曲線を備えた円弧状のバンド部と、前記バンド部の内周面に結合されて前記バンド部と円筒構造を形成する補助バンド部と、前記閉曲線にそれぞれ内挿され、対向しているネジ孔が形成された一対の結合ナットと、前記閉曲線と結合ナットにそれぞれ連結され、回転方向に応じて一対の結合ナットの離間距離を調節する結合ボルトと、からなることを特徴とする請求項３に記載の配管の部分補修装置。
【発明の詳細な説明】
【技術分野】
【０００１】
本発明は水漏れが生じた配管を補修するために用いる配管の部分補修装置に関するもので、より詳細には、配管に生じた漏水部分を低コストで簡便に補修することができるように、送油管や送水管などの各種連結管体の継ぎ手部分に締結する接管用ホースバンドを用いた配管の部分補修装置に関するものである。
【背景技術】
【０００２】
通常、パイプや管など（以下、「配管」と通称する）を連結するための手段としては、管継ぎ手（ｐｉｐｅ  ｃｏｕｐｌｉｎｇ）を用いている。図１及び図２はこれらの管継ぎ手の一例を示す。
【０００３】
図１に示した管継ぎ手は、円筒状のケース１００と、この内部に設けれる漏水防止用ガスケットまたはパッキング２００（以下、「パッキング」と通称する）と、からなる。
【０００４】
このような構成の管継ぎ手は、補修用として用いるものであり、図に示すようにケース１００を半円筒状に切開した後、直径方向の一側端部はヒンジ１１０で結合し、他側端部には貫通孔が形成された締め付け棒１２０を設ける。締め付け棒１２０に貫設されるボルト３００を締めると、その内部に設けられたパッキンの内面がパイプ４００の外面に密着されるようになって、両方のパイプが連結された部分から流体の漏れを防ぐ機能を提供する。
【０００５】
即ち、一側端部をヒンジ結合すると共に、ヒンジを中心に他側端部を開閉することにより、既に設けられた配管のパイプの中間にも管継ぎ手を容易に設けることができるように構成したものである。
【０００６】
勿論、半円筒状のケースの両端端にそれぞれ締め付け棒１２０を設ける共に、 締め付け棒に貫設されるボルト３００を締めて、両方のケースを組み立てることができるように構成したものもある。しかし、これらの全ての補修用管継ぎ手には、図１に示したように一側が切開されたパッキン２００が設けられる。
【０００７】
このような補修用管継ぎ手に設けられるパッキンは、図１に示したように、直径方向の一側が切開された環状に形成したり、長い板状に形成して、切開された端部２１０を互いに接するように設けた後、ボルト３００を締めて両方のケースが締め付けられるようにすると、パッキン２００の端部２１０が互いに緊密に接触した状態になり、この状態で設けられている。
【０００８】
しかし、前述した管継ぎ手は、配管の一側部分に漏水孔が集中的に生じた場合、優れた補修機能を提供することができるが、その製造コストが高い。そのため、長手方向に沿って針孔程度のサイズを有する複数の漏水孔が生じた場合は、配管の補修時に多くのコストが掛る問題が発生する恐れがある。また、前述の管継ぎ手は類似の直径を有する配管に共用することができるが、直径の差が大きい配管には共用することができないという問題がある。
【０００９】
一方、従来には送油管や送水管などの各種連結管体の継ぎ手部分を締結するための手段として、接管用ホースバンドを用いている。図３及び図４はこのような接管用ホースバンドの一例を示す。
【００１０】
このようなホースバンドは、図３及び図４に示すように、帯状部１、軸受け部２、形状嵌合部３、及びボルト部４を含んでいる。
【００１１】
より詳細に、帯状部１は横方向に一定の間隔を置いて複数のスロット溝１ａが長手方向に全長に亘って形成されているものである。軸受け部２はチャンネル状断面を有しており、帯状部の一端に固定されているものである。
【００１２】
また、形状嵌合部３は、その下部に、軸受け部２の両起立部２ａに形成されたカム状孔２ｂに旋回可能に挿入される下端雄状部３ａを一体に備えており、その上部には、帯状部１と平行な姿勢に変形する時、帯状部１の一方向に前進すると、軸受け部２に形成された雌状切欠部２ｃに係合すると共に、帯状部１の他方向に後退すると、雌状切欠部２ｃからの係合が解除される上端雄状部３ｂを一体に備えている。
【００１３】
更に、ボルト部４は、その外周部に、形状嵌合部３の下端雄状部３ａと上端雄状部３ｂを貫通して形状嵌合部３に装着されており、上端雄状部３ｂと下端雄状部３ａとの間に位置する部分で、スロット溝１ａに嵌合できるように形成した螺旋部４ａを備えている。
【発明の概要】
【発明が解決しようとする課題】
【００１４】
従って、本発明の目的は、配管を通過する流体が外部に漏れないように、老朽化した配管に生じた孔を密閉させるホースバンドを用いた配管の部分補修装置を提供することにある。
【課題を解決するための手段】
【００１５】
前述した本発明の目的を達成するために、本発明の一実施形態によれば、ホースバンドと、前記ホースバンドの内側面に備えられるパッキン材を含む漏水防止手段と、からなることを特徴とする配管の部分補修装置を提供する。
【００１６】
また、本発明の目的を達成するために、本発明の他の実施形態によれば、ホースバンドと、ホースバンドに外嵌されるように両端にそれぞれ切開孔が形成される密着板とホースバンドの内側面に配置なるように密着板の内側面に備えられるパッキン材とを含む漏水防止手段と、からなることを特徴とする配管の部分補修装置を提供する。
【発明の効果】
【００１７】
本発明によれば、比較的高価な管継ぎ手を用いることの代わりに、安価なホースバンドを用いて、低コストで老朽化した配管の漏水孔を補修することができ、それによって、配管を用いて水を供給するマンションや住宅の管理コストを削減することができる。
【００１８】
また、本発明によれば、配管の直径に関係なく、様々なサイズの配管に使用することができ、孔のサイズに応じて適切な構造を採用することもできる。
【００１９】
更に、本発明によれば、配管に簡単に設置することができ、作業時間が減少するので、人件費が削減される。
【００２０】
なお、本発明によれば、配管を通じて流れる水を断水せずに、短時間で迅速に水漏れを遮断して漏水修復作業による効率を最大化することができる。
【図面の簡単な説明】
【００２１】
【図１】従来のパッキンを備えた管継ぎ手の一例を示す斜視図である。
【図２】図１に示した管継ぎ手を示す断面図である。
【図３】従来のホースバンドを説明するための分解斜視図である。
【図４】図３に示したホースバンドを示す側面図である。
【図５】本発明の一実施形態に係る配管の部分補修装置を示す斜視図である。
【図６】本発明に係るホースバンドの一実施形態を示す分解斜視図である。
【図７】本発明の他の実施形態に係るホースバンドを示す平面図である。
【図８】本発明のまた他の実施形態に係るホースバンドを示す平面図である。
【図９】本発明の他の実施形態に係る配管の部分補修装置を示す斜視図である。
【図１０】本発明の他の実施形態に係る配管の部分補修装置を示す斜視図である。
【図１１】本発明に係る密着板の一実施形態を説明するための斜視図である。
【図１２】本発明に係る密着板の他の実施形態を説明するための斜視図である。
【発明を実施するための最良の形態】
【００２２】
以下、添付図面を参照して、本発明の好ましい実施形態に係るホースバンドを用いた配管の部分補修装置（以下、「配管部分補修装置」と略称する）を詳細に説明する。
【００２３】
図５は本発明の一実施形態に係る配管部分補修装置を示す斜視図である。
【００２４】
図５を参照すると、本発明に係る配管部分補修装置は、配管の交換時までの配管に生じた孔を迅速に補修して配管を通過する流体が漏れることを防止し、圧力に応じて漏水孔が拡張することを防止するものであり、ホースバンドと、このホースバンドに設けられ、配管に生じた孔に密着されて、孔を密閉させるパッキン材３１０を含む漏水防止手段３００とから構成されている。
【００２５】
以下、図面を参照して、各構成要素についてより詳細に説明する。
【００２６】
図５を参照すると、本発明に係る配管部分補修装置はホースバンドを含んでいる。
【００２７】
ホースバンドは既存の送油管や送水管などの各種連結管体（以下、「配管」と略称する）の継ぎ手部分を締結するための手段として使用しているものであり、本発明においては、漏水防止手段３００を配管の漏水部分に固定させると共に、漏水防止手段３００に押圧力を提供する。
【００２８】
従来に配管の補修のために使用している管継ぎ手は、数千円で販売している物品であるのに対し、前述したホースバンドは数百円の価格で取引を行う物品である。従って、配管に針孔程度のサイズで生じた複数の漏水孔を補修するに効果的である。例えば、従来の管継ぎ手と本発明に係る配管部分補修装置は両方共に、相異なる個所に生じた５つの孔針程度のサイズを有する漏水孔を補修するために、全て５つが必要であるが、価格面においては、ホースバンドを用いた本発明の配管部分補修装置の場合、管継ぎ手に比べてその製造コストが約１／５以下である。従って、本発明はマンションや住宅などに使用する配管に応急措置を可能とする最も安価で簡単な漏水防止装置を提供する。
【００２９】
特定の実施様態として、本発明に係るホースバンドは、図５に示すように長手方向に沿って複数の貫通孔１１０が１列に形成され、配管の漏水部分に結合できるように両端が互いに密着して環を形成する帯状部１００と、両端が互いに重なった帯状部１００に結合され、外部から与えられる駆動力に基づいて、帯状部１００によって形成された環の内径を調節する内径調節部２００と、から構成されている。この時、内径調節部２００はボルト部２１０と、保持固定台２２０と、本体２３０と、から構成することができる。
【００３０】
より詳細に説明すると、内径調節部２００は、図６に示すように帯状部１００の一端部が下部に固定され、両側面の側板２２６に一端部に向かって傾斜した長孔２３４の下限点が形成され、他端に向かって端部から内側に傾斜して幅が広くなるようになった係止端部２３６が形成された本体２３０と、この本体２３０の長孔２３４に、その一端が回転可能であると共に、長孔２３４の長手方向に移動可能にヒンジ部２２２が形成され、他端に係止端部２３６の下部に係止するように係止突起部２２４が形成された固定台２２０と、から構成することができる。
【００３１】
この時、ボルト部２１０はヒンジ部２２２と係止突起部２２４に形成された回転支持部２２２ａ、２２４ａに、その一端部と軸方向の中間部位が挿入されて回転可能に設けられ、回転支持部２２２ａ、２２４ａの間に挟まれた軸方向の外周面には、貫通孔１１０に係止して回転する際に、帯状部１００を締めるようになった螺旋部２１２が形成される。
【００３２】
そして、固定台２２０の両側面には一定の長さで外側に突出した停止部２２６が形成されており、本体２３０の上部に係止されて固定台２２０が本体４０にヒンジ結合された状態で、それ以上に下部に回転しないように阻止する役割をする。
【００３３】
図７は本発明の他の実施形態に係るホースバンドを示す平面図であり、図８は本発明のまた他の実施形態に係るホースバンドを示す平面図である。
【００３４】
他の実施様態として、本発明に係るホースバンドは、図８に示すように対向している一対の閉曲線状挿入手段１５５を備えた円弧状バンド部１５０と、このバンド部１５０の内周面に結合されてバンド部１５０と一緒に円筒構造を形成する補助バンド部１６０と、挿入手段１５５にそれぞれ内挿され、対向しているネジ孔が形成された一対の結合ナット２５０と、挿入手段１５５と結合ナット２５０にそれぞれ連結され、回転方向に応じて一対の結合ナット２５０の離間距離を調節する結合ボルト２６０と、から構成されている。この時、挿入手段１５５には結合ボルト２６０が内挿できるように通孔が形成される。
【００３５】
また他の実施態様として、本発明に係るホースバンドは、図９に示すように両端にそれぞれ閉曲線状挿入手段１５５を備えた円弧状の第１及び第２バンド部１５２、１５４と、第１及び第２バンド部１５２、１５４の内周面に結合されてバンド部１５２、１５４と一緒に円筒構造を形成する第１及び第２の補助バンド部１６２、１６４と、第１バンド部１５２の左側挿入手段１５５と、第１バンド部１５２の左側挿入手段１５５に隣接した第２バンド部１５４の左側挿入手段１５５にそれぞれ内挿され、対向しているネジ孔が形成された一対の第１結合ナット２５２と、挿入手段１５５及び一対の第１結合ナット２５２にそれぞれ連結され、回転方向に応じて一対の結合ナット２５２の離間距離を調節する第１の結合ボルト２６２と、第２バンド部１５４の右側挿入手段１５５と、第２のバンド部１５４の右側挿入手段１５５に隣接した第１バンド部１５２の右側挿入手段１５５にそれぞれ内挿され、対向しているネジ孔が形成された一対の第２結合ナット２５４と、挿入手段１５５及び一対の第２結合ナット２５４にそれぞれ連結され、回転方向に応じて一対の結合ナット２５４の離間距離を調節する第２の結合ボルト２６４と、から構成されている。
【００３６】
図１０を参照すると、本発明に係る配管部分補修装置は漏水防止手段３００を含んでいる。
【００３７】
漏水防止手段３００は帯状部１００に設けられ、土壌腐食（ｓｏｉｌ  ｃｏｒｒｏｓｉｏｎ）などの原因により配管に生じた孔に接触して配管を通過する流体の漏出を遮断するものであり、帯状部１００の内側面に備えられ、ホースバンドにより配管の漏水孔に密着して孔の隙間に漏水現象が発生することを防止するパッキン材３１０を含んでいる。
【００３８】
このようなパッキン材３１０は、生ゴム、ブチルゴム、ネオプレンゴム、シリコン、テフロン、合成樹脂のいずれか一つ以上で形成されることができる。例えば、配管が温水や気体の移動経路を提供する場合はパッキン材としてテフロンを用いることが好ましく、オイルや化学用液体の移動経路を提供するために使用する場合はパッキン材としてブチルゴム、ネオプレンゴム、シリコーンなどを使用することが好ましい。
【００３９】
必要に応じて、本発明に係る漏水防止手段３００は図１０に示すように帯状部１００に外嵌できるように両端にそれぞれ切開孔３２２が形成される密着板３２０、及び帯状部１００の内側面に配置されるように密着板３２０の内側面に備えられるパッキン材３１０と、から構成されている。ここで、切開孔３２２は密着板３２０を帯状部１００に外嵌させるために構成した開口であり、配管に生じた孔の位置に合わせて帯状部１００の長手方向に沿って密着板３２０を移動させる機能を提供する。
【００４０】
このような密着板３２０は耐腐食性を有する金属材料で形成することが好ましい。必要に応じて、密着板３２０はパッキン材３１０と一体型に形成することができ、この場合は機密性を有する合成樹脂や金属で構成することもできる。
【００４１】
より詳細に説明すると、密着板３２０には帯状部１００の幅以上の直径を有する孔からの漏水を遮断したり、高圧の流体が移動する配管に使用できるように帯状部１００の幅の１乃至３倍程度の幅を有する高圧型密着板を使用することができる。
【００４２】
また、密着板３２０は高圧型密着板に水漏れの発生を遮断することができない場合、ホースバンドを２つ以上、好ましくは２つ乃至３つを結合させた広幅型密着板を使用することができる。このような広幅型密着板は複数のホースバンドを結合できるように、２対以上の切開孔、好ましくは２乃至３対の切開孔を形成し、帯状部１００の幅の３倍以上の幅を有するように形成した。
【００４３】
更に、密着板３２０は配管に接触するパッキン材３１０に均一な押圧力を提供できるように、配管に対応する曲面状を有するように形成されることができる。
【００４４】
必要に応じて、密着板３２０は、図１１に示すように切開孔３２２を介して帯状部１００と結合された状態で帯状部１００に沿って円滑に移動できるように、各切開孔３２２の外側に位置した外側板３２４が折れ曲げられた構造で形成することができる。このような外側板３２４は折れ曲げ構造により密着板３２０の他の部分よりも上部に突出しており、各切開孔３２２のがサイズが大きくなるように作用する。
【００４５】
また、密着板３２０はホースバンドの帯状部１００やバンド部１５０が閉曲線構造に形成されている場合でも、ユーザーがホースバンドから着脱することができるように、図１２に示すように各切開孔３２２の外側に位置した外側板３２４に密着板３２０の長手方向に沿って嵌合通路３２６を形成することができる。この時、嵌合通路３２６は外側板３２４の一側に形成したり、中央に形成することが好ましいが、これに限定されるものではない。
【００４６】
このように嵌合通路３２６が形成された外側板３２４は撓みを有しているので、手で嵌合通路３２６を拡張させてホースバンドに結合させた後、嵌合通路３２６を縮小させると、簡単に密着板３２０をホースバンドで結合させることができるようになる。
【００４７】
一方、パッキン材３１０は密着板３２０の両端にそれぞれ形成された切開孔３２２の間のギャップと同一の長さを有するように形成されることができる。これはパッキン材３１０が切開孔３２２によって密着板３２０から離間することを防止するための構成である。
【００４８】
また、パッキン材３１０は接着剤を使用して密着板３２０の内側面に付着したり、熱圧着を通じて密着板３２０の内側面に付着することができる。
【００４９】
前述した配管部分補修装置は、土壌腐食（ｓｏｉｌ  ｃｏｒｒｏｓｉｏｎ）などの原因により配管にコインサイズ以上の孔が生じたり、孔が特定の個所に集中的に生じた場合に比べて、配管の長手方向に沿って針孔程度のサイズの孔が複数生じた場合、その効用が最大化される。これは、配管にコインサイズ以上の孔が生じたり、孔が特定の個所に集中的に生じた場合、単一の補修装置を使用して水漏れの発生を遮断することができるが、配管に針孔程度のサイズの孔が複数生じ場合は、各孔の数だけ補修装置を施工しなければなるからである。
【００５０】
即ち、針孔程度のサイズの漏水部分を補修する場合、本発明に係る配管部分補修装置は、従来の管継ぎ手と対等な漏水防止性能を提供すると共に、管継ぎ手に比べて安価であり、施工過程も簡単であるので、既存の管継ぎ手を代替することができる十分な競争力を有している。
【００５１】
以上、本明をいくつかの好ましい実施形態によって記述したが、当業者ならば、添付の特許請求範囲に開示した本発明の範疇及び思想から外れずに、本明を多くの変形及び修正がなされ得ることがわかるはずである。
【図１】
2016532824.tif 000003
【図２】
2016532824.tif 000004
【図３】
2016532824.tif 000005
【図４】
2016532824.tif 000006
【図５】
2016532824.tif 000007
【図６】
2016532824.tif 000008
【図７】
2016532824.tif 000009
【図８】
2016532824.tif 000010
【図９】
2016532824.tif 000011
【図１０】
2016532824.tif 000012
【図１１】
2016532824.tif 000013
【図１２】
2016532824.tif 000014
【国際調査報告】
2016532824.tif 000015
2016532824.tif 000016
2016532824.tif 000017
2016532824.tif 000018